(57)【要約】【課題】空気調和機の消費電力を低減する。【解決手段】空気調和機は、塵埃検出センサ３６０で検出された塵埃量が所定量未満である場合に（Ｓ１１０）、電気集塵装置２００（集塵補助手段）が停止状態であってストリーマ放電ユニット３４０（活性種供給手段）が運転状態である第２運転状態に切り換える（Ｓ１１１）。また、塵埃検出センサ３６０で検出された塵埃量が所定量未満でありかつ臭い検出センサ３７０で検出された臭い強度が所定強度未満である場合に（Ｓ１０２）、電気集塵装置２００（集塵補助手段）及びストリーマ放電ユニット３４０（活性種供給手段）がいずれも停止状態である第３運転状態に切り換える（Ｓ１０３）。【選択図】図１１
2014018326.tif 000002
【特許請求の範囲】
【請求項１】
吸込口から吸い込んだ空気を吹出口から吹き出す空気調和機であって、
前記吸込口から前記吹出口に流れる空気流に含まれる塵埃を帯電させる集塵補助手段と、
前記集塵補助手段によって帯電した塵埃を除去する集塵フィルタと、
前記空気流に活性種を供給する活性種供給手段と、
塵埃量を検出する塵埃検出手段と、
臭い強度を検出する臭い検出手段と、
前記集塵補助手段及び前記活性種供給手段を制御する制御手段とを備え、
前記制御手段が、
前記集塵補助手段及び前記活性種供給手段がいずれも運転状態である第１運転状態において、
前記塵埃検出手段で検出された塵埃量が所定量未満である場合に、前記集塵補助手段が停止状態であって前記活性種供給手段が運転状態である第２運転状態に切り換えると共に、
前記塵埃検出手段で検出された塵埃量が所定量未満でありかつ前記臭い検出手段で検出された臭い強度が所定強度未満である場合に、前記集塵補助手段及び前記活性種供給手段がいずれも停止状態である第３運転状態に切り換えることを特徴とする空気調和機。
【請求項２】
前記吸込口と前記吹出口との間に配置されたファンを備え、
前記第３運転状態において、前記ファンが間欠運転されることを特徴とする請求項１に記載の空気調和機。
【請求項３】
前記制御手段が、前記第３運転状態において、
前記臭い検出手段で検出された臭い強度が所定強度以上である場合に、前記第２運転状態に切り換えることを特徴とする請求項１または２に記載の空気調和機。
【請求項４】
前記制御手段が、前記第３運転状態において、
前記塵埃検出手段で検出された塵埃量が所定量以上である場合に、前記第１運転状態に切り換えることを特徴とする請求項１−３のいずれかに記載の空気調和機。
【請求項５】
前記制御手段が、前記第１運転状態において、
前記塵埃検出手段で検出された塵埃量が所定量未満である状態が第１所定時間継続した場合に、前記第２運転状態に切り換えると共に、
前記塵埃検出手段で検出された塵埃量が所定量未満でありかつ前記臭い検出手段で検出された臭い強度が所定強度未満である状態が第２所定時間継続した場合に、前記第３運転状態に切り換えることを特徴とする請求項１−４のいずれかに記載の空気調和機。
【請求項６】
前記吹出口から吹き出される空気の湿度を調整する湿度調整手段と、
湿度を検出する湿度検出手段とを備え、
前記制御手段が、前記第１運転状態において、
前記塵埃検出手段で検出された塵埃量が所定量未満であり、前記臭い検出手段で検出された臭い強度が所定強度未満であり、かつ、前記湿度検出手段で検出された湿度が所定湿度以上である場合に、前記第３運転状態に切り換えることを特徴とする請求項１−５のいずれかに記載の空気調和機。
【発明の詳細な説明】
【技術分野】
【０００１】
本発明は、吸込口から吸い込んだ空気を吹出口から吹き出す空気調和機に関するものである。
【背景技術】
【０００２】
空気清浄機には、吸込口から吹出口に流れる空気流に含まれる塵埃を帯電させる集塵補助手段と、集塵補助手段によって帯電した塵埃を除去する集塵フィルタと、空気流に活性種を供給する活性種供給手段とを備えたものがある。この空気清浄機では、塵埃を帯電させることによって集塵フィルタでの集塵効率を向上させることができると共に、活性種によってフィルタの塵埃を分解・除去することができる。
【先行技術文献】
【特許文献】
【０００３】
【特許文献１】特開２００８−１２０５９
【発明の概要】
【発明が解決しようとする課題】
【０００４】
この空気清浄機において、空気の汚れ状態にかかわらず、集塵補助手段及び活性種供給手段がいずれも運転状態である場合、空気の汚れが少ない場合（空気に含まれる塵埃量が少ない場合や、空気の臭い強度が小さい場合）のように、集塵補助手段及び活性種供給手段を運転する必要がないときでも消費電力が大きいという問題がある。
【０００５】
そこで、本発明の目的は、消費電力を低減できる空気調和機を提供することである。
【課題を解決するための手段】
【０００６】
第１の発明にかかる空気調和機は、吸込口から吸い込んだ空気を吹出口から吹き出す空気調和機であって、前記吸込口から前記吹出口に流れる空気流に含まれる塵埃を帯電させる集塵補助手段と、前記集塵補助手段によって帯電した塵埃を除去する集塵フィルタと、前記空気流に活性種を供給する活性種供給手段と、塵埃量を検出する塵埃検出手段と、臭い強度を検出する臭い検出手段と、前記集塵補助手段及び前記活性種供給手段を制御する制御手段とを備え、前記制御手段が、前記集塵補助手段及び前記活性種供給手段がいずれも運転状態である第１運転状態において、前記塵埃検出手段で検出された塵埃量が所定量未満である場合に、前記集塵補助手段が停止状態であって前記活性種供給手段が運転状態である第２運転状態に切り換えると共に、前記塵埃検出手段で検出された塵埃量が所定量未満でありかつ前記臭い検出手段で検出された臭い強度が所定強度未満である場合に、前記集塵補助手段及び前記活性種供給手段がいずれも停止状態である第３運転状態に切り換えることを特徴とする。
【０００７】
この空気調和機では、集塵補助手段及び活性種供給手段がいずれも運転状態であるとき、塵埃検出手段で検出された塵埃量が所定量未満である場合に、集塵補助手段が停止されると共に、塵埃検出手段で検出された塵埃量が所定量未満でありかつ臭い検出手段で検出された臭い強度が所定強度未満である場合に、集塵補助手段及び活性種供給手段がいずれも停止状態に変更される。このように、塵埃検出手段及び臭い検出手段での検出に基づいて、集塵補助手段及び活性種供給手段において運転を継続する必要がないものが停止される。したがって、空気調和機の消費電力を低減できる。
【０００８】
第２の発明にかかる空気調和機では、第１の発明にかかる空気調和機において、前記吸込口と前記吹出口との間に配置されたファンを備え、前記第３運転状態において、前記ファンが間欠運転されることを特徴とする。
【０００９】
この空気調和機では、集塵補助手段及び活性種供給手段がいずれも停止状態である場合に、ファンが間欠運転されるので、塵埃検出手段及び臭い検出手段の検出精度を向上させることができる。したがって、第３運転状態において空気に含まれる塵埃量が多い場合や空気の臭い強度が大きい場合に、集塵補助手段や活性種供給手段の運転を開始できる。
【００１０】
第３の発明にかかる空気調和機では、第１または第２の発明にかかる空気調和機において、前記制御手段が、前記第３運転状態において、前記臭い検出手段で検出された臭い強度が所定強度以上である場合に、前記第２運転状態に切り換えることを特徴とする。
【００１１】
この空気調和機では、集塵補助手段及び活性種供給手段がいずれも停止状態である場合において、空気の臭い強度が大きく変化した場合に、活性種供給手段を運転することによって、空気の臭い強度を低下させることができる。
【００１２】
第４の発明にかかる空気調和機は、第１−第３の発明のいずれかにおいて、前記制御手段が、前記第３運転状態において、前記塵埃検出手段で検出された塵埃量が所定量以上である場合に、前記第１運転状態に切り換えることを特徴とする。
【００１３】
この空気調和機では、集塵補助手段及び活性種供給手段がいずれも停止状態である場合において、空気に含まれる塵埃量が多く変化した場合に、集塵補助手段及び活性種供給手段を運転して、空気に含まれる塵埃量を低減できる。
【００１４】
第５の発明にかかる空気調和機は、第１−第４の発明のいずれかにおいて、前記制御手段が、前記第１運転状態において、前記塵埃検出手段で検出された塵埃量が所定量未満である状態が第１所定時間継続した場合に、前記第２運転状態に切り換えると共に、前記塵埃検出手段で検出された塵埃量が所定量未満でありかつ前記臭い検出手段で検出された臭い強度が所定強度未満である状態が第２所定時間継続した場合に、前記第３運転状態に切り換えることを特徴とする。
【００１５】
この空気調和機では、空気に含まれる塵埃量が所定量未満である状態が第１所定時間継続した場合や、空気の臭い強度が所定強度未満である状態が第２所定時間継続した場合に、集塵補助手段や活性種供給手段が停止されるので、集塵補助手段及び活性種供給手段において運転を継続する必要がないものを停止できる。
【００１６】
第６の発明にかかる空気調和機は、第１−第５の発明のいずれかの空気調和機において、前記吹出口から吹き出される空気の湿度を調整する湿度調整手段と、湿度を検出する湿度検出手段とを備え、前記制御手段が、前記第１運転状態において、前記塵埃検出手段で検出された塵埃量が所定量未満であり、前記臭い検出手段で検出された臭い強度が所定強度未満であり、かつ、前記湿度検出手段で検出された湿度が所定湿度以上である場合に、前記第３運転状態に切り換えることを特徴とする。
【００１７】
この空気調和機では、空気に含まれる塵埃量や空気の臭い強度だけでなく、湿度を考慮して、集塵補助手段及び活性種供給手段がいずれも停止状態に変更される。
【発明の効果】
【００１８】
以上の説明に述べたように、本発明によれば、以下の効果が得られる。
【００１９】
第１の発明では、集塵補助手段及び活性種供給手段がいずれも運転状態であるとき、塵埃検出手段で検出された塵埃量が所定量未満である場合に、集塵補助手段が停止されると共に、塵埃検出手段で検出された塵埃量が所定量未満でありかつ臭い検出手段で検出された臭い強度が所定強度未満である場合に、集塵補助手段及び活性種供給手段がいずれも停止状態に変更される。このように、塵埃検出手段及び臭い検出手段での検出に基づいて、集塵補助手段及び活性種供給手段において運転を継続する必要がないものが停止される。したがって、空気調和機の消費電力を低減できる。
【００２０】
第２の発明では、集塵補助手段及び活性種供給手段がいずれも停止状態である場合に、ファンが間欠運転されるので、塵埃検出手段及び臭い検出手段の検出精度を向上させることができる。したがって、第３運転状態において空気に含まれる塵埃量が多い場合や空気の臭い強度が大きい場合に、集塵補助手段や活性種供給手段の運転を開始できる。
【００２１】
第３の発明では、集塵補助手段及び活性種供給手段がいずれも停止状態である場合において、空気の臭い強度が大きく変化した場合に、活性種供給手段を運転することによって、空気の臭い強度を低下させることができる。
【００２２】
第４の発明では、集塵補助手段及び活性種供給手段がいずれも停止状態である場合において、空気に含まれる塵埃量が多く変化した場合に、集塵補助手段及び活性種供給手段を運転して、空気に含まれる塵埃量を低減できる。
【００２３】
第５の発明では、空気に含まれる塵埃量が所定量未満である状態が第１所定時間継続した場合や、空気の臭い強度が所定強度未満である状態が第２所定時間継続した場合に、集塵補助手段や活性種供給手段が停止されるので、集塵補助手段及び活性種供給手段において運転を継続する必要がないものを停止できる。
【００２４】
第６の発明では、空気に含まれる塵埃量や空気の臭い強度だけでなく、湿度を考慮して、集塵補助手段及び活性種供給手段がいずれも停止状態に変更される。
【図面の簡単な説明】
【００２５】
【図１】本発明の実施形態に係る空気清浄機の正面斜視図
【図２】本発明の実施形態に係る空気清浄機の側面視図
【図３】本発明の実施形態に係る空気清浄機における送風の経路を示す概念図
【図４】本発明の実施形態に係る空気清浄機の分解図
【図５】図１の空気清浄機のＶ−Ｖ断面図
【図６】電気集塵装置のケーシング見開き図
【図７】図６の電気集塵装置のＶＩＩ−ＶＩＩ断面図
【図８】図１に示す空気清浄機の操作部の概略図
【図９】図１に示す空気清浄機の機能ブロック図
【図１０】図１に示す空気清浄機のフローを示すフローチャート
【図１１】図１に示す空気清浄機のフローを示すフローチャート
【発明を実施するための形態】
【００２６】
以下、図面を参照しながら、本発明の実施形態について説明する。
【００２７】
［空気調和機の概要構成］
本発明の一実施形態に係る空気調和機は、空気清浄機１００である。空気清浄機１００は、本体１００ａと当該本体１００ａを覆う複数のケーシング部材１０１から構成されている。本体１００ａには、後述する電気集塵装置２００（集塵補助手段）、フィルタ部３１０、加湿部３２０（湿度調整手段）、ストリーマ放電ユニット３４０（活性種供給手段）、シロッコファン３５０（ファン）、塵埃検出センサ３６０（塵埃検出手段）、臭い検出センサ３７０（臭い検出手段）、湿度検出センサ３８０（湿度検出手段）、操作部３９０、表示部４００及び制御部（制御手段）４１０を備えている。
【００２８】
図１は、空気清浄機１００の正面斜視における外観正面斜視図である。空気清浄機１００の正面は、ケーシング部材の１つである合成樹脂製の前パネル１０２に覆われている。正面の下方には、前パネル１０２に覆われていない部分があり、当該部分に下吸込口１１３が設けられている。図２は、空気清浄機１００の側面視における外観側面視図である。図２において、空気清浄機１００の側面の一部は、ケーシング部材の１つである合成樹脂製の側方吸込口形成部材１０３により覆われている。側方吸込口形成部材１０３には、空気を取り込む第１側方吸込口１１１が縦方向に延びるように形成されている。つまり、第１側方吸込口１１１は、縦の寸法の方が、横の寸法よりも大きい。また、図示されていないが、空気清浄機１００の反対側の側面の一部も同様に側方吸込口形成部材１０３により覆われている。側方吸込口形成部材１０３には、第１側方吸込口１１１に対向する位置に第２側方吸込口１１２が縦方向に延びるように形成されている。第２側方吸込口１１２の縦横の寸法は、第１側方吸込口１１１の寸法と同じである。以下、第１側方吸込口１１１、第２側方吸込口１１２及び下吸込口１１３の全てを指す場合は、吸込口１１０とする。
【００２９】
空気清浄機１００内に吸い込まれた空気が吹き出される吹出口１１４は、図１及び図４に示されているように空気清浄機１００の上面に設けられている。
【００３０】
図３は、空気清浄機１００内の構成を説明するための概念図である。図３において、シロッコファン３５０によって吸込口から吹出口１１４に至る空気の流れ５０１が発生する。吸込口から吸込まれた室内空気は、フィルタ部３１０で塵埃や臭い成分などが取り除かれ、シロッコファン３５０から清浄な空気が吹き出される。
【００３１】
［詳細構成］
＜電気集塵装置２００＞
図４は、空気清浄機１００から前パネル１０２等のケーシング部材の一部を取り外した分解図である。図４に示されているように、電気集塵装置２００（集塵補助装置）は、縦に長い筒状の形状をしており、第１側方吸込口１１１及び第２側方吸込口１１２の近傍に１つずつ、それぞれの吸込口１１０に沿って縦に、着脱可能に設置されている。電気集塵装置２００は、吸い込まれた空気の中に浮遊している比較的小さな塵埃を帯電させる。第１側方吸込口１１１の近傍に配置されている電気集塵装置２００は、放電ユニットＬ２０１である。第２側方吸込口１１２の近傍に配置されている電気集塵装置２００は、放電ユニットＲ２０２である。電気集塵装置２００の縦横それぞれの寸法は、吸込口１１０の縦横それぞれの寸法よりも大きく、電気集塵装置２００は側方吸込口形成部材１０３と、その間になるべく隙間ができないように接しているので、吸込口１１０から吸い込まれる空気は、全て電気集塵装置２００を通るように構成されている。
【００３２】
図６は、放電ユニットＬ２０１の外観図である。図７は、放電ユニットＬ２０１の断面図である。放電ユニットＬ２０１は、縦に長い筒状の形状をした合成樹脂製のケーシング２１０を有する。図６に示すように、ケーシング２１０は、ケーシング第１部２１１及びケーシング第２部２１２の２つに縦に分かれており、図７に示すように、ケーシング第１部２１１とケーシング第２部２１２とは、ヒンジ２１３で繋がれている。
【００３３】
ケーシング第１部２１１は、正負２つの電極のうちの正極であるタングステン製のイオン化線２３１を保持する。負極は、ケーシング第２部２１２により保持されている。負極は、ステンレス金属製の板状の電極（電極板２３２）である。
【００３４】
ケーシング第２部２１２の内側には、負極である電極板２３２が取り付けられている。電極板２３２は、ケーシング第２部２１２の長手方向に並行な３つの対向する壁を形成するように成形されている。ここで、説明の便宜上、当該３つの壁のうち、真ん中に位置する壁を中壁２３２ｂ、当該中壁２３２ｂの左右に位置する壁をそれぞれ左壁２３２ｃ、右壁２３２ａとする。左壁２３２ｃと右壁２３２ａは、ケーシング第２部２１２が形成する空間内に収まっている。一方、中壁２３２ｂは、当該空間から数ミリ程度外に出ている。
【００３５】
図７に示すように、ケーシング第１部２１１の縁とケーシング第２部２１２の縁とが接するようになっている。ヒンジ２１３が閉じられた状態では、イオン化線２３１は、ケーシング第２部２１２により形成された空間に位置し、中壁２３２ｂをＵ字状に囲む。また、当該Ｕ字状のイオン化線２３１は、外側から左壁２３２ｃ及び右壁２３２ａに囲まれた状態になる。即ち、イオン化線２３１は、左壁２３２ｃと中壁２３２ｂとの間、及び中壁２３２ｂと右壁２３２ａとの間に位置し、それぞれの壁に並行な状態で、当該壁と放電に適切な一定の距離を保って位置する。
【００３６】
イオン化線２３１に高電圧を印加すると、当該２つの電極間に電位差が生じ、イオン化線２３１と電極板２３２とが対向している部位において、当該２つの電極間で１種のコロナ放電が生じる。当該放電が起こる部位を放電発生部と呼ぶ。
【００３７】
放電発生部を覆う部分（格子部２００ａ）では、ケーシング第１部２１１及びケーシング第２部２１２は、格子状になっている。また、ケーシング第１部２１１の当該格子部２００ａの外側は、プレフィルタ２１９により覆われている。ケーシング第１部２１１の格子部２００ａの外側は、吸い込まれる空気の気流の上流にあたる。吸い込まれた空気は、当該格子部２００ａからケーシング２１０内に入り込み、放電部を通過する。通過する空気中の塵埃は、放電により帯電する。
【００３８】
＜フィルタ部３１０＞
図３に示されているように、フィルタ部３１０は、プレフィルタ３１１と、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ３１２（集塵フィルタ）と、脱臭エレメント３１３とで構成されている。まず、プレフィルタ３１１によって大きな塵埃が取り除かれる。次に、ＨＥＰＡフィルタ３１２によってさらに微細な塵埃が取り除かれる。さらに、ＨＥＰＡフィルタ３１２を通過した空気は、活性炭などを含む脱臭エレメント３１３によってホルムアルデヒドや臭い成分などが分解され、或いは吸着される。
【００３９】
＜ストリーマ放電ユニット３４０＞
シロッコファン３５０から吹き出される空気のうちの一部が、図３に示す支流５０２としてストリーマ放電ユニット３４０（活性種供給手段）に送られる。この支流５０２がストリーマ放電ユニット３４０を通過するときに、ストリーマ放電によって活性種が供給される。活性種の供給された支流５０２は、複数の分流となって放出口３３１からプレフィルタ３１１の前に吹き出される。
【００４０】
複数の分流は、プレフィルタ３１１から吸い込まれる室内空気に合流してＨＥＰＡフィルタ３１２及び脱臭エレメント３１３にまで到達する。脱臭エレメント３１３にまで達する活性種によって消臭効果が高められる。
【００４１】
ストリーマ放電ユニット３４０は、正極であるタングステン製の針状の電極と、当該針状電極の近傍に位置し、当該電極に対向する板状の電極（対向電極）を有する。針状電極に高電圧を印加することによりプラズマ放電の一種であるストリーマ放電が発生する。当該放電発生の際に酸化分解力の高い活性種が生成される。これらの活性種には、高速電子、イオン、水酸化ラジカル及び励起酸素分子などが含まれ、これらの活性種は、アンモニア類や、アルデヒド類、窒素酸化物等の小さな有機分子からなる空気中の有害成分や臭気成分を分解する。
【００４２】
生成された活性種を含む空気は、図３に示すような２つの鉛直風通路部材３３０へ流入する。空気清浄機１００の第１側方吸込口１１１及び第２側方吸込口１１２は、上述のとおり鉛直方向に長い開口であるが、２つの鉛直風通路部材３３０は第１側方吸込口１１１及び第２側方吸込口１１２に沿って配置されている。各鉛直風通路部材３３０には、複数の放出口３３１が第１側方吸込口１１１及び第２側方吸込口１１２の鉛直方向に沿うように形成されている。鉛直風通路部材３３０へ流入した活性種を含む空気は、当該放出口３３１からフィルタ部３１０のプレフィルタ３１１の前に吹き出される。
【００４３】
＜加湿部３２０＞
加湿部３２０（湿度調整手段）は、加湿ロータ３２１や水トレイ３２２などを備えている。脱臭エレメント３１３を通過した空気は、加湿部３２０の加湿ロータ３２１を通過する。加湿ロータ３２１を空気が通過する際に、加湿ロータ３２１から空気中に水分が放出される。放出されることによって減少する水分を補うため、加湿ロータ３２１は、水トレイ３２２から水の供給を受ける。水トレイ３２２には、鉛直通風路部材３３０に設けられた上記放出口３３１の１つから活性種を含む空気が導入される。
【００４４】
＜空気清浄動作＞
図３を参照しながら、空気清浄機１００による空気清浄作用について説明する。第１側方吸込口１１１及び第２側方吸込口１１２から吸い込まれた空気は、電気集塵装置２００に到達する。そこで、電気集塵装置２００のケーシング第１部２１１の外側に設けられたプレフィルタにより比較的大きなホコリや塵が空気中から除去される。次に、空気は電気集塵装置２００の放電部を通過する。その際、空気に含まれる塵埃等がプラス電荷に帯電する。そして、空気は、フィルタ部３１０に到達する。他方、下吸込口１１３から吸い込まれた空気は、フィルタ部３１０に到達する。
【００４５】
フィルタ部３１０では、空気は、先ずプレフィルタ３１１を通過する。その際、比較的大きなホコリや塵が、プレフィルタ３１１により空気中から除去される。
【００４６】
プレフィルタ３１１を通った空気は、ＨＥＰＡフィルタ３１２を通過する。当該空気中の帯電した塵埃等は、ＨＥＰＡフィルタ３１２に吸着される。
【００４７】
ＨＥＰＡフィルタ３１２を通過した空気は、脱臭エレメント３１３を通過し、この際脱臭される。
【００４８】
その後、当該空気は、加湿部３２０の加湿ロータ３２１に到達する。空気は、加湿ロータ３２１を通過し、加湿される。
【００４９】
フィルタ部３１０及び加湿ロータ３２１を通過して清浄された空気は、吹出口１１４から室内へと吹き出される。また、清浄された空気の一部は、室内へと吹き出されることなく支流５０２となって、ストリーマ放電ユニット３４０へ導入される。
【００５０】
ストリーマ放電ユニット３４０におけるストリーマ放電により活性種が生成される。活性種を含む空気は、２つの鉛直通風路部材３３０内を通り、各鉛直通風路部材３３０に形成された複数の放出口３３１からプレフィルタ３１１の前に放出される。活性種を含む空気は、吸込空気と混ざり合ってプレフィルタ３１１及びＨＥＰＡフィルタ３１２に吸い込まれる。これらの活性種を含んだ空気は、ウィルスやカビ菌、細菌などを不活化または死滅させる。
【００５１】
＜シロッコファン３５０＞
シロッコファン３５０（ファン）は、吸込口１１０と吹出口１１４との間に配置されており、より詳しくは、加湿部３２０と吹出口１１４との間に配置されている。
【００５２】
＜塵埃検出センサ３６０＞
塵埃検出センサ３６０（塵埃検出手段）は、空気清浄機１００内の上部に設けられており、空気清浄機１００の周辺の空気に含まれる塵埃量を検出する。
【００５３】
＜臭い検出センサ３７０＞
臭い検出センサ３７０（臭い検出手段）は、空気清浄機１００内の上部に設けられており、空気清浄機１００の周辺の空気の臭い強度を検出する。
【００５４】
＜湿度検出センサ３８０＞
湿度検出センサ３８０（湿度検出手段）は、空気清浄機１００内の上部に設けられており、空気清浄機１００の周辺の空気の湿度を検出する。
【００５５】
＜操作部３９０＞
図８は、図１に示す空気清浄機１００の操作部３９０の概略図である。操作部３９０は、図８に示すように、運転入／切スイッチ３９１、加湿入／切スイッチ３９２、加湿切換スイッチ３９３、ＥＣＯ節電スイッチ３９４と、風量変更スイッチ３９４とを備えている。
【００５６】
運転入／切スイッチ３９１は、空気清浄機１００の運転又は停止を選択するスイッチである。空気清浄機１００が停止した状態で、運転入／切スイッチ３９１が押されると空気清浄運転が開始される。一方、空気清浄運転が行われている状態で運転入／切スイッチ３９１が押されると運転が停止する。
【００５７】
加湿入／切スイッチ３９２は、加湿運転の運転又は停止を選択するスイッチである。空気清浄運転が行われており、加湿運転が行われていない状態で、加湿入／切スイッチ３９２が押されると、加湿ロータ３２１が回転駆動され、加湿運転が開始される。その際、加湿運転で行われていることを表示するランプが点灯する。一方、空気清浄運転と共に加湿運転が行われている状態で、加湿入／切スイッチ３９２が押されると、加湿ロータ３２１の回転駆動が停止され、加湿運転が停止される。その際、当該ランプは消灯する。なお、加湿入／切スイッチ３９２が押されて加湿運転が停止しても、空気清浄運転は継続する。
【００５８】
加湿切換スイッチ３９３は、加湿運転のモードを切り換えるスイッチである。加湿運転のモードとしては、自動運転モードと連続運転モードとが含まれる。加湿運転が行われている状態で、加湿切換スイッチ３９３が押されると、制御部４１０の制御により、これらモードが切り換わるようになっている。
【００５９】
自動運転モードとは、目標湿度（例えば、湿度５０％）を目安に、空気清浄機１００が加湿運転の運転又は停止を自動で行うモードである。具体的には、湿度検出センサ３８０で検出される空気中の湿度と目標湿度とを比較して、加湿運転の運転又は停止を判断し、判断結果に基づいて加湿運転の運転又は停止を実行する。一方、連続運転モードとは、連続運転モード中、加湿運転を継続するモードである。
【００６０】
ＥＣＯ節電スイッチ３９４とは、省エネ運転を実行するか否かを選択するスイッチである。後述するように、風量が自動に設定されている場合において、ＥＣＯ節電スイッチ３９４が押されると、省エネ運転モードに切り換わり、省エネ運転モードであることを示すランプが点灯する。一方、省エネ運転が実行されている状態で、ＥＣＯ節電スイッチ３９４が押されると、省エネ運転モードが停止され、省エネ運転モードに切り換わる前の状態に戻り、当該ランプが消灯する。風量が自動に設定されている場合に、省エネ運転モードに切り換わると、風量自動運転での最大風量が、省エネ運転モードに切り換わる前の最大風量より小さい風量に制限される。
【００６１】
風量変更スイッチは、風量を設定するスイッチである。そして、風量として自動が設定された場合、塵埃検出センサ３６０で検出された塵埃量及び臭い検出センサ３７０で検出された臭い強度に基づいて、風量が自動的に変更される。したがって、塵埃検出センサ３６０で検出された塵埃量や臭い検出センサ３７０で検出された臭い強度が大きい場合に、風量が大きく変更されるとともに、塵埃検出センサ３６０で検出された塵埃量及び臭い検出センサ３７０で検出された臭い強度が小さい場合に、風量が小さく変更される。
【００６２】
＜表示部４００＞
表示部４００は、塵埃検出センサ３６０で検出された塵埃量、臭い検出センサ３７０で検出された臭い強度、湿度検出センサ３８０で検出された湿度を表示する。この表示部４００は、図１に示すように、前パネル１０２に設けられている。塵埃量は、その大小に応じて、例えば３色の点灯で表示する。臭い強度は、その強弱に応じて例えば３色の点灯で表示する。湿度は、例えば、１％刻みで表示する。
【００６３】
＜制御部４１０＞
図９は、図１に示す空気清浄機１００の機能ブロック図である。制御部４１０は、ＣＰＵ（Central Processing Unit）、ＲＯＭ（Read Only Memory）、ＲＡＭ（Random Access Memory）などの複数のハードウェアから構成されている。ＲＯＭには、制御装置４１０の動作を制御する制御プログラムなどが格納されている。そして、この制御部４１０は、タイマー部４１１を有し、塵埃検出センサ３６０、臭い検出センサ３７０、湿度検出センサ３８０、電気集塵装置２００、ストリーマ放電ユニット３４０、シロッコファン３５０、加湿部３２０、操作部３９０、及び表示部４００と電気的に接続されている。
【００６４】
タイマー部４１１は、塵埃検出センサ３６０で検出された塵埃量が所定量未満である状態が所定時間継続したか否か、臭い検出センサ３７０で検出された臭い強度が所定強度未満である状態が所定時間継続したか否か、湿度検出センサ３８０で検出された湿度が所定湿度以上である状態が所定時間継続したか否かを判断する際の各所定時間を計測するためのタイマーを駆動制御する。
【００６５】
空気清浄機１００において、加湿運転が行われてない場合の省エネ運転モードでは、塵埃検出センサ３６０で検出された塵埃量や、臭い検出センサ３７０で検出された臭い強度に基づいて、電気集塵装置２００、ストリーマ放電ユニット３４０、シロッコファン３５０等が制御される。
【００６６】
空気清浄機１００において、加湿運転が行われている場合の省エネ運転モードでは、塵埃検出センサ３６０で検出された塵埃量や、臭い検出センサ３７０で検出された臭い強度や、湿度検出センサ３８０で検出された湿度に基づいて、電気集塵装置２００、ストリーマ放電ユニット３４０、シロッコファン３５０等が制御される。
【００６７】
以下、加湿運転が行われている場合の省エネ運転モードにおける動作について詳しく説明する。
【００６８】
加湿運転が行われている場合の省エネ運転モードでは、第１運転状態、第２運転状態及び第３運転状態のいずれかの状態の運転が行われる。
【００６９】
第１運転状態（加湿運転あり）では、電気集塵装置２００、ストリーマ放電ユニット３４０、加湿部３２０がいずれも運転状態であって、シロッコファン３５０は、風量自動の設定に基づいて駆動される。
【００７０】
第２運転状態（加湿運転あり）では、電気集塵装置２００が停止状態であって、ストリーマ放電ユニット３４０及び加湿部３２０が運転状態であって、シロッコファン３５０は、風量自動の設定に基づいて駆動される。
【００７１】
第３運転状態（加湿運転あり）では、電気集塵装置２００及びストリーマ放電ユニット３４０及び加湿部３２０がいずれも停止状態である。この第３運転状態（加湿運転なし）では、制御部４１０は、シロッコファン３５０の駆動又は停止を交互に行うよう制御する。即ち、第３運転状態（加湿運転あり）では、シロッコファン３５０の駆動及び停止を交互に繰り返す間欠運転が行われる。
【００７２】
まず、図１０を参照して省エネ運転モード（加湿運転あり）の動作について説明する。
【００７３】
ＥＣＯ節電スイッチ３９４が押されて省エネ運転モードに移行すると、電気集塵装置２００、ストリーマ放電ユニット３４０、及び加湿部３２０がいずれも運転状態である第１運転状態（加湿運転あり）に入る（Ｓ１）。
【００７４】
次に、塵埃検出センサ３６０で検出された塵埃量が所定量未満であり、かつ臭い検出センサ３７０で検出された臭い強度が所定強度未満であり、かつ湿度検出センサ３８０で検出された湿度が所定湿度以上である状態が所定時間継続したか否かを判断する（Ｓ２）。そして、ステップＳ２の条件を満たした場合（Ｓ２：Ｙｅｓ）、電気集塵装置２００、ストリーマ放電ユニット３４０、及び加湿部３２０をいずれも停止して第３運転状態（加湿運転あり）に移行する（Ｓ３）。第３運転状態（加湿運転あり）ではシロッコファン３５０は、間欠運転とされる。一方、ステップＳ２の条件を満たさない場合（Ｓ２：Ｎｏ）、ステップＳ１２に進む。
【００７５】
第３運転状態（加湿運転あり）に移行すると（Ｓ３）、まず、塵埃検出センサ３６０で検出された塵埃量が所定量以上であるか否かを判断する（Ｓ４）。そして、ステップＳ４の条件を満たした場合（Ｓ４：Ｙｅｓ）、電気集塵装置２００、ストリーマ放電ユニット３４０、及び加湿部３２０をいずれも運転して第１運転状態（加湿運転あり）に移行し（Ｓ５）、ステップＳ１に戻る。
【００７６】
一方、ステップＳ４の条件を満たさない場合（Ｓ４：Ｎｏ）、湿度検出センサ３８０で検出された湿度が所定湿度未満であるか否かを判断する（Ｓ６）。そしてステップＳ６の条件を満たした場合（Ｓ６：Ｙｅｓ）、電気集塵装置２００、ストリーマ放電ユニット３４０、及び加湿部３２０をいずれも運転して第１運転状態（加湿運転あり）に移行し（Ｓ７）、ステップＳ１に戻る。
【００７７】
一方、ステップＳ６の条件を満たさない場合（Ｓ６：Ｎｏ）、臭い検出センサ３７０で検出された臭い強度が所定強度以上であるかを判断する（Ｓ８）。そして、ステップＳ８の条件を満たした場合（Ｓ８：Ｙｅｓ）、電気集塵装置２００は停止したまま、ストリーマ放電ユニット３４０、及び加湿部３２０を運転して第２運転状態（加湿運転あり）に移行する（Ｓ９）。一方、ステップＳ８の条件を満たさない場合（Ｓ８：Ｎｏ）、ステップＳ４に戻る。
【００７８】
ステップＳ１０では、塵埃検出センサ３６０で検出された塵埃量が所定量以上である状態が所定時間継続したか否かを判断する。そして、ステップＳ１０の条件を満たした場合（Ｓ１０：Ｙｅｓ）、電気集塵装置２００を運転して第１運転状態（加湿運転あり）に移行し（Ｓ１１）、ステップＳ１に戻る。一方、ステップＳ１０の条件を満たさない場合（Ｓ１０：Ｎｏ）、その条件を繰り返す。
【００７９】
ステップＳ１２においては、塵埃検出センサ３６０で検出された塵埃量が所定量未満である状態が所定時間継続したか否かを判断する。そして、ステップＳ１２の条件を満たした場合、電気集塵装置２００を停止して第２運転状態（加湿運転あり）に移行する（Ｓ１３）。一方、ステップＳ１２の条件を満たさない場合、ステップＳ２に戻る。
【００８０】
第２運転状態（加湿運転あり）に移行すると（Ｓ１３）、まず、塵埃検出センサ３６０で検出された塵埃量が所定量以上である状態が所定時間継続したか否かを判断する（Ｓ１４）。そして、ステップＳ１４の条件を満たした場合（Ｓ１４：Ｙｅｓ）、電気集塵装置２００を運転して第１運転状態（加湿運転あり）に移行し（Ｓ１５）、ステップＳ１に戻る。一方、ステップＳ１４の条件を満たさない場合（Ｓ１４：Ｎｏ）、その条件を繰り返す。
【００８１】
以下、加湿運転が行われてない場合の省エネ運転モードにおける動作について詳しく説明する。
【００８２】
加湿運転が行われてない場合の省エネ運転モードでは、第１運転状態、第２運転状態及び第３運転状態のいずれかの状態の運転が行われる。
【００８３】
第１運転状態（加湿運転なし）では、電気集塵装置２００及びストリーマ放電ユニット３４０がいずれも運転状態であって、シロッコファン３５０は、風量自動の設定に基づいて駆動される。
【００８４】
第２運転状態（加湿運転なし）では、電気集塵装置２００が停止状態であって、ストリーマ放電ユニット３４０が運転状態であって、シロッコファン３５０は、風量自動の設定に基づいて駆動される。
【００８５】
第３運転状態（加湿運転なし）では、電気集塵装置２００及びストリーマ放電ユニット３４０がいずれも停止状態である。この第３運転状態（加湿運転なし）では、制御部４１０は、シロッコファン３５０の駆動又は停止を交互に行うよう制御する。即ち、第３運転状態（加湿運転なし）では、シロッコファン３５０の駆動及び停止を交互に繰り返す間欠運転が行われる。
【００８６】
以下、図１１を参照して省エネ運転モード（加湿運転なし）の動作について説明する。
【００８７】
ＥＣＯ節電スイッチ３９４が押されて省エネ運転モードに移行すると、電気集塵装置２００、及びストリーマ放電ユニット３４０がいずれも運転状態である第１運転状態（加湿運転なし）に入る（Ｓ１０１）。
【００８８】
次に、塵埃検出センサ３６０で検出された塵埃量が所定量未満であり、かつ臭い検出センサ３７０で検出された臭い強度が所定強度未満である状態が所定時間継続したか否かを判断する（Ｓ１０２）。そして、ステップＳ１０２の条件を満たした場合（Ｓ１０２：Ｙｅｓ）、電気集塵装置２００、及びストリーマ放電ユニット３４０をいずれも停止して第３運転状態（加湿運転なし）に移行する（Ｓ１０３）。第３運転状態（加湿運転なし）ではシロッコファン３５０は、間欠運転とされる。一方、ステップＳ１０２の条件を満たさない場合（Ｓ１０２：Ｎｏ）、ステップＳ１１０に進む。
【００８９】
第３運転状態（加湿運転なし）に移行すると（Ｓ１０３）、まず、塵埃検出センサ３６０で検出された塵埃量が所定量以上であるか否かを判断する（Ｓ１０４）。そして、ステップＳ４の条件を満たした場合（Ｓ１０４：Ｙｅｓ）、電気集塵装置２００、及びストリーマ放電ユニット３４０をいずれも運転して第１運転状態（加湿運転なし）に移行し（Ｓ１０５）、ステップＳ１０１に戻る。
【００９０】
一方、ステップＳ１０４の条件を満たさない場合（Ｓ１０４：Ｎｏ）、臭い検出センサ３７０で検出された臭い強度が所定強度以上であるか否かを判断する（Ｓ１０６）。そして、ステップＳ１０６の条件を満たした場合（Ｓ１０６：Ｙｅｓ）、ストリーマ放電ユニット３４０を運転して第２運転状態に移行する（Ｓ１０７）。一方、ステップＳ１０６の条件を満たさない場合（Ｓ１０６：Ｎｏ）、ステップＳ１０４に戻る。
【００９１】
ステップＳ１０８では、塵埃検出センサ３６０で検出された塵埃量が所定量以上である状態が所定時間継続したか否かを判断する。そして、ステップＳ１０８の条件を満たした場合（Ｓ１０８：Ｙｅｓ）、電気集塵装置２００を運転して第１運転状態（加湿運転なし）に移行し（Ｓ１０９）、ステップＳ１０１に戻る。一方、ステップＳ１０８の条件を満たさない場合（Ｓ１０８：Ｎｏ）、その条件を繰り返す。
【００９２】
ステップＳ１１０においては、塵埃検出センサ３６０で検出された塵埃量が所定量未満である状態が所定時間継続したか否かを判断する。そして、ステップＳ１１０の条件を満たした場合、電気集塵装置２００を停止して第２運転状態（加湿運転なし）に移行する（Ｓ１１１）。一方、ステップＳ１１１の条件を満たさない場合、ステップＳ１０２に戻る。
【００９３】
第２運転状態（加湿運転なし）に移行すると（Ｓ１１１）、まず、塵埃検出センサ３６０で検出された塵埃量が所定量以上である状態が所定時間継続したか否かを判断する（Ｓ１１２）。そして、ステップＳ１１２の条件を満たした場合（Ｓ１１２：Ｙｅｓ）、電気集塵装置２００を運転して第１運転状態（加湿運転なし）に移行し（Ｓ１１３）、ステップＳ１０１に戻る。一方、ステップＳ１１２の条件を満たさない場合（Ｓ１１２：Ｎｏ）、その条件を繰り返す。
【００９４】
［本実施形態の空気調和機の特徴］
本実施形態の空気調和機には、以下の特徴がある。この空気調和機（空気清浄機１００）では、電気集塵装置２００及びストリーマ放電ユニット３４０がいずれも運転状態であるとき、塵埃検出センサ３６０で検出された塵埃量が所定量未満である場合に、電気集塵装置２００が停止されると共に、塵埃検出センサ３６０で検出された塵埃量が所定量未満でありかつ臭い検出センサ３７０で検出された臭い強度が所定強度未満である場合に、電気集塵装置２００及びストリーマ放電ユニット３４０がいずれも停止状態に変更される。このように、塵埃検出センサ３６０及び臭い検出センサ３７０での検出に基づいて、電気集塵装置２００及びストリーマ放電ユニット３４０において運転を継続する必要がないものが停止される。したがって、空気調和機の消費電力を低減できる。
【００９５】
また、電気集塵装置２００及びストリーマ放電ユニット３４０がいずれも停止状態である場合に、シロッコファン３５０が間欠運転されるので、塵埃検出センサ３６０及び臭い検出センサ３７０の検出精度を向上させることができる。したがって、第３運転状態において空気に含まれる塵埃量が多い場合や空気の臭い強度が大きい場合に、電気集塵装置２００及びストリーマ放電ユニット３４０の運転を開始できる。
【００９６】
また、電気集塵装置２００及びストリーマ放電ユニット３４０がいずれも停止状態である場合において、空気の臭い強度が大きく変化した場合に、ストリーマ放電ユニット３４０を運転することによって、空気の臭い強度を低下させることができる。
【００９７】
また、この空気調和機では、電気集塵装置２００及びストリーマ放電ユニット３４０がいずれも停止状態である場合において、空気に含まれる塵埃量が多く変化した場合に、電気集塵装置２００及びストリーマ放電ユニット３４０を運転して、空気に含まれる塵埃量を低減できる。
【００９８】
また、空気に含まれる塵埃量が所定量未満である状態が第１所定時間継続した場合や、空気の臭い強度が所定強度未満である状態が第２所定時間継続した場合に、電気集塵装置２００やストリーマ放電ユニット３４０が停止されるので、電気集塵装置２００及びストリーマ放電ユニット３４０において運転を継続する必要がないものを停止できる。
【００９９】
また、空気に含まれる塵埃量や空気の臭い強度だけでなく、湿度を考慮して、電気集塵装置２００及びストリーマ放電ユニット３４０がいずれも停止状態に変更される。
【０１００】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【０１０１】
［変形例］
本実施形態においては、空気清浄機１００は、電気集塵装置２００及びストリーマ放電ユニット３４０を備えているが、空気清浄機１００は、電気集塵装置２００及びストリーマ放電ユニット３４０に加え、臭い除去などに効果があるイオンを発生させるイオン発生装置を備えていていもよい。
【０１０２】
そして、イオン発生装置を備える場合、電気集塵装置２００、ストリーマ放電ユニット３４０、及びイオン発生装置がいずれも運転状態である第１運転状態において、塵埃検出センサ３６０で検出された塵埃量が所定量未満である場合に、電気集塵装置２００が停止状態であってストリーマ放電ユニット３４０、及びイオン発生装置が運転状態である第２運転状態に切り換えると共に、塵埃検出センサ３６０で検出された塵埃量が所定量未満でありかつ臭い検出センサ３７０で検出された臭い強度が所定強度未満である場合に、電気集塵装置２００、ストリーマ放電ユニット３４０及びイオン発生装置がいずれも停止状態である第３運転状態に切り換えるようにしてもよい。
【０１０３】
また、本実施形態においては、第３運転状態においてシロッコファン３５０が間欠運転されるようになっているが、間欠運転はなくてもよい。
【０１０４】
また、本実施形態においては、所定時間継続したか否かで第１〜第３運転状態の切り換えを判断しているが、所定時間継続したか否かを判断することは必須ではない。
【０１０５】
また、本実施形態においては、「集塵フィルタ」とは、ＨＥＰＡフィルタ３１２を示すが、「集塵フィルタ」は、プレフィルタ３１１であってもよいし、プレフィルタ３１１とＨＥＰＡフィルタ３１２を合わせて「集塵フィルタ」としてもよい。
【０１０６】
また、本実施形態においては、第１運転状態から第３運転状態への移行について説明しているが、第２運転状態から第３運転状態への移行については説明していない。しかし、第２運転状態において、第３運転状態への移行条件を満たせば、第２運転状態から第３運転状態に移行するようにしてもよい。例えば、図１０のステップＳ１０において（第２運転状態）、ステップＳ１０の条件を満たさない場合、ステップＳ２の条件を満たすか否かを判断して、ステップＳ２の条件を満たしたらステップＳ３に進むようにしてもよい（第３運転状態に移行）。
【０１０７】
また、本実施形態においては、第３運転状態から第１又は第２運転状態に移行する際において、塵埃検出センサ３６０で検出された塵埃量が所定量以上であるか否か、臭い検出センサ３７０で検出された臭い強度が所定強度以上であるか否か、湿度検出センサ３８０で検出された湿度が所定湿度未満であるか否かの判断の際には、所定時間継続しているか否かは見ていないが、所定時間継続することを移行条件に加えてもよい。
【０１０８】
また、本実施形態においては、塵埃検出センサ３６０で検出された塵埃量が所定量未満である状態が所定時間継続したか否か、臭い検出センサ３７０で検出された臭い強度が所定強度未満である状態が所定時間継続したか否か、湿度検出センサ３８０で検出された湿度が所定湿度以上である状態が所定時間継続したか否かを判断する際の各所定時間は、どれも同じとしているが、各所定時間は各々異なっていてもよい。
【産業上の利用可能性】
【０１０９】
本発明を利用すれば、空気調和機の消費電力を低減できる。
【符号の説明】
【０１１０】
１００  空気清浄機（空気調和機）
２００  電気集塵装置（集塵補助手段）
３２０  加湿部（湿度調整手段）
３４０  ストリーマ放電ユニット（活性種供給手段）
３５０  シロッコファン（ファン）
３６０  塵埃検出センサ（塵埃検出手段）
３７０  臭い検出センサ（臭い検出手段）
３８０  湿度検出センサ（湿度検出手段）
４１０  制御部（制御手段）
【図１】
2014018326.tif 000003
【図２】
2014018326.tif 000004
【図３】
2014018326.tif 000005
【図４】
2014018326.tif 000006
【図５】
2014018326.tif 000007
【図６】
2014018326.tif 000008
【図７】
2014018326.tif 000009
【図８】
2014018326.tif 000010
【図９】
2014018326.tif 000011
【図１０】
2014018326.tif 000012
【図１１】
2014018326.tif 000013
【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
吸込口と吹出口との間に配置されたファンを有し、前記吸込口から吸い込んだ空気を前記吹出口から吹き出す空気調和機であって、
前記吸込口から前記吹出口に流れる空気流に含まれる塵埃を帯電させる集塵補助手段と、
前記集塵補助手段によって帯電した塵埃を除去する集塵フィルタと、
前記空気流に活性種を供給する活性種供給手段と、
塵埃量を検出する塵埃検出手段と、
臭い強度を検出する臭い検出手段と、
前記集塵補助手段及び前記活性種供給手段を制御する制御手段とを備え、
前記制御手段が、
前記集塵補助手段及び前記活性種供給手段がいずれも運転状態である第１運転状態において、
前記塵埃検出手段で検出された塵埃量が所定量未満である場合に、前記集塵補助手段が停止状態であって前記活性種供給手段が運転状態である第２運転状態に切り換えると共に、
前記塵埃検出手段で検出された塵埃量が所定量未満でありかつ前記臭い検出手段で検出された臭い強度が所定強度未満である場合に、前記集塵補助手段及び前記活性種供給手段がいずれも停止状態である第３運転状態に切り換え、
前記塵埃検出手段で検出された塵埃量が所定量以上でありかつ前記臭い検出手段で検出された臭い強度が所定強度未満である場合に、前記第１運転状態を継続することを特徴とする空気調和機。
【請求項２】
前記第３運転状態において、前記ファンが間欠運転されることを特徴とする請求項１に記載の空気調和機。
【請求項３】
前記制御手段が、前記第３運転状態において、
前記臭い検出手段で検出された臭い強度が所定強度以上である場合に、前記第２運転状態に切り換えることを特徴とする請求項１または２に記載の空気調和機。
【請求項４】
前記制御手段が、前記第３運転状態において、
前記塵埃検出手段で検出された塵埃量が所定量以上である場合に、前記第１運転状態に切り換えることを特徴とする請求項１−３のいずれかに記載の空気調和機。
【請求項５】
前記制御手段が、前記第１運転状態において、
前記塵埃検出手段で検出された塵埃量が所定量未満である状態が第１所定時間継続した場合に、前記第２運転状態に切り換えると共に、
前記塵埃検出手段で検出された塵埃量が所定量未満でありかつ前記臭い検出手段で検出された臭い強度が所定強度未満である状態が第２所定時間継続した場合に、前記第３運転状態に切り換えることを特徴とする請求項１−４のいずれかに記載の空気調和機。
【請求項６】
前記吹出口から吹き出される空気の湿度を調整する湿度調整手段と、
湿度を検出する湿度検出手段とを備え、
前記制御手段が、前記第１運転状態において、
前記塵埃検出手段で検出された塵埃量が所定量未満であり、前記臭い検出手段で検出された臭い強度が所定強度未満であり、かつ、前記湿度検出手段で検出された湿度が所定湿度以上である場合に、前記第３運転状態に切り換えることを特徴とする請求項１−５のいずれかに記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、吸込口から吸い込んだ空気を吹出口から吹き出す空気調和機に関するものである。
【背景技術】
【０００２】
空気清浄機には、吸込口から吹出口に流れる空気流に含まれる塵埃を帯電させる集塵補助手段と、集塵補助手段によって帯電した塵埃を除去する集塵フィルタと、空気流に活性種を供給する活性種供給手段とを備えたものがある。この空気清浄機では、塵埃を帯電させることによって集塵フィルタでの集塵効率を向上させることができると共に、活性種によってフィルタの塵埃を分解・除去することができる。
【先行技術文献】
【特許文献】
【０００３】
【特許文献１】特開２００８−１２０５９
【発明の概要】
【発明が解決しようとする課題】
【０００４】
この空気清浄機において、空気の汚れ状態にかかわらず、集塵補助手段及び活性種供給手段がいずれも運転状態である場合、空気の汚れが少ない場合（空気に含まれる塵埃量が少ない場合や、空気の臭い強度が小さい場合）のように、集塵補助手段及び活性種供給手段を運転する必要がないときでも消費電力が大きいという問題がある。
【０００５】
そこで、本発明の目的は、消費電力を低減できる空気調和機を提供することである。
【課題を解決するための手段】
【０００６】
第１の発明にかかる空気調和機は、吸込口と吹出口との間に配置されたファンを有し、前記吸込口から吸い込んだ空気を前記吹出口から吹き出す空気調和機であって、前記吸込口から前記吹出口に流れる空気流に含まれる塵埃を帯電させる集塵補助手段と、前記集塵補助手段によって帯電した塵埃を除去する集塵フィルタと、前記空気流に活性種を供給する活性種供給手段と、塵埃量を検出する塵埃検出手段と、臭い強度を検出する臭い検出手段と、前記集塵補助手段及び前記活性種供給手段を制御する制御手段とを備え、前記制御手段が、前記集塵補助手段及び前記活性種供給手段がいずれも運転状態である第１運転状態において、前記塵埃検出手段で検出された塵埃量が所定量未満である場合に、前記集塵補助手段が停止状態であって前記活性種供給手段が運転状態である第２運転状態に切り換えると共に、前記塵埃検出手段で検出された塵埃量が所定量未満でありかつ前記臭い検出手段で検出された臭い強度が所定強度未満である場合に、前記集塵補助手段及び前記活性種供給手段がいずれも停止状態である第３運転状態に切り換え、前記塵埃検出手段で検出された塵埃量が所定量以上でありかつ前記臭い検出手段で検出された臭い強度が所定強度未満である場合に、前記第１運転状態を継続することを特徴とする。
【０００７】
この空気調和機では、集塵補助手段及び活性種供給手段がいずれも運転状態であるとき、塵埃検出手段で検出された塵埃量が所定量未満である場合に、集塵補助手段が停止されると共に、塵埃検出手段で検出された塵埃量が所定量未満でありかつ臭い検出手段で検出された臭い強度が所定強度未満である場合に、集塵補助手段及び活性種供給手段がいずれも停止状態に変更される。このように、塵埃検出手段及び臭い検出手段での検出に基づいて、集塵補助手段及び活性種供給手段において運転を継続する必要がないものが停止される。したがって、空気調和機の消費電力を低減できる。
【０００８】
第２の発明にかかる空気調和機では、第１の発明にかかる空気調和機において、前記第３運転状態において、前記ファンが間欠運転されることを特徴とする。
【０００９】
この空気調和機では、集塵補助手段及び活性種供給手段がいずれも停止状態である場合に、ファンが間欠運転されるので、塵埃検出手段及び臭い検出手段の検出精度を向上させることができる。したがって、第３運転状態において空気に含まれる塵埃量が多い場合や空気の臭い強度が大きい場合に、集塵補助手段や活性種供給手段の運転を開始できる。
【００１０】
第３の発明にかかる空気調和機では、第１または第２の発明にかかる空気調和機において、前記制御手段が、前記第３運転状態において、前記臭い検出手段で検出された臭い強度が所定強度以上である場合に、前記第２運転状態に切り換えることを特徴とする。
【００１１】
この空気調和機では、集塵補助手段及び活性種供給手段がいずれも停止状態である場合において、空気の臭い強度が大きく変化した場合に、活性種供給手段を運転することによって、空気の臭い強度を低下させることができる。
【００１２】
第４の発明にかかる空気調和機は、第１−第３の発明のいずれかにおいて、前記制御手段が、前記第３運転状態において、前記塵埃検出手段で検出された塵埃量が所定量以上である場合に、前記第１運転状態に切り換えることを特徴とする。
【００１３】
この空気調和機では、集塵補助手段及び活性種供給手段がいずれも停止状態である場合において、空気に含まれる塵埃量が多く変化した場合に、集塵補助手段及び活性種供給手段を運転して、空気に含まれる塵埃量を低減できる。
【００１４】
第５の発明にかかる空気調和機は、第１−第４の発明のいずれかにおいて、前記制御手段が、前記第１運転状態において、前記塵埃検出手段で検出された塵埃量が所定量未満である状態が第１所定時間継続した場合に、前記第２運転状態に切り換えると共に、前記塵埃検出手段で検出された塵埃量が所定量未満でありかつ前記臭い検出手段で検出された臭い強度が所定強度未満である状態が第２所定時間継続した場合に、前記第３運転状態に切り換えることを特徴とする。
【００１５】
この空気調和機では、空気に含まれる塵埃量が所定量未満である状態が第１所定時間継続した場合や、空気の臭い強度が所定強度未満である状態が第２所定時間継続した場合に、集塵補助手段や活性種供給手段が停止されるので、集塵補助手段及び活性種供給手段において運転を継続する必要がないものを停止できる。
【００１６】
第６の発明にかかる空気調和機は、第１−第５の発明のいずれかの空気調和機において、前記吹出口から吹き出される空気の湿度を調整する湿度調整手段と、湿度を検出する湿度検出手段とを備え、前記制御手段が、前記第１運転状態において、前記塵埃検出手段で検出された塵埃量が所定量未満であり、前記臭い検出手段で検出された臭い強度が所定強度未満であり、かつ、前記湿度検出手段で検出された湿度が所定湿度以上である場合に、前記第３運転状態に切り換えることを特徴とする。
【００１７】
この空気調和機では、空気に含まれる塵埃量や空気の臭い強度だけでなく、湿度を考慮して、集塵補助手段及び活性種供給手段がいずれも停止状態に変更される。
【発明の効果】
【００１８】
以上の説明に述べたように、本発明によれば、以下の効果が得られる。
【００１９】
第１の発明では、集塵補助手段及び活性種供給手段がいずれも運転状態であるとき、塵埃検出手段で検出された塵埃量が所定量未満である場合に、集塵補助手段が停止されると共に、塵埃検出手段で検出された塵埃量が所定量未満でありかつ臭い検出手段で検出された臭い強度が所定強度未満である場合に、集塵補助手段及び活性種供給手段がいずれも停止状態に変更される。このように、塵埃検出手段及び臭い検出手段での検出に基づいて、集塵補助手段及び活性種供給手段において運転を継続する必要がないものが停止される。したがって、空気調和機の消費電力を低減できる。
【００２０】
第２の発明では、集塵補助手段及び活性種供給手段がいずれも停止状態である場合に、ファンが間欠運転されるので、塵埃検出手段及び臭い検出手段の検出精度を向上させることができる。したがって、第３運転状態において空気に含まれる塵埃量が多い場合や空気の臭い強度が大きい場合に、集塵補助手段や活性種供給手段の運転を開始できる。
【００２１】
第３の発明では、集塵補助手段及び活性種供給手段がいずれも停止状態である場合において、空気の臭い強度が大きく変化した場合に、活性種供給手段を運転することによって、空気の臭い強度を低下させることができる。
【００２２】
第４の発明では、集塵補助手段及び活性種供給手段がいずれも停止状態である場合において、空気に含まれる塵埃量が多く変化した場合に、集塵補助手段及び活性種供給手段を運転して、空気に含まれる塵埃量を低減できる。
【００２３】
第５の発明では、空気に含まれる塵埃量が所定量未満である状態が第１所定時間継続した場合や、空気の臭い強度が所定強度未満である状態が第２所定時間継続した場合に、集塵補助手段や活性種供給手段が停止されるので、集塵補助手段及び活性種供給手段において運転を継続する必要がないものを停止できる。
【００２４】
第６の発明では、空気に含まれる塵埃量や空気の臭い強度だけでなく、湿度を考慮して、集塵補助手段及び活性種供給手段がいずれも停止状態に変更される。
【図面の簡単な説明】
【００２５】
【図１】本発明の実施形態に係る空気清浄機の正面斜視図
【図２】本発明の実施形態に係る空気清浄機の側面視図
【図３】本発明の実施形態に係る空気清浄機における送風の経路を示す概念図
【図４】本発明の実施形態に係る空気清浄機の分解図
【図５】図１の空気清浄機のＶ−Ｖ断面図
【図６】電気集塵装置のケーシング見開き図
【図７】図６の電気集塵装置のＶＩＩ−ＶＩＩ断面図
【図８】図１に示す空気清浄機の操作部の概略図
【図９】図１に示す空気清浄機の機能ブロック図
【図１０】図１に示す空気清浄機のフローを示すフローチャート
【図１１】図１に示す空気清浄機のフローを示すフローチャート
【発明を実施するための形態】
【００２６】
以下、図面を参照しながら、本発明の実施形態について説明する。
【００２７】
［空気調和機の概要構成］
本発明の一実施形態に係る空気調和機は、空気清浄機１００である。空気清浄機１００は、本体１００ａと当該本体１００ａを覆う複数のケーシング部材１０１から構成されている。本体１００ａには、後述する電気集塵装置２００（集塵補助手段）、フィルタ部３１０、加湿部３２０（湿度調整手段）、ストリーマ放電ユニット３４０（活性種供給手段）、シロッコファン３５０（ファン）、塵埃検出センサ３６０（塵埃検出手段）、臭い検出センサ３７０（臭い検出手段）、湿度検出センサ３８０（湿度検出手段）、操作部３９０、表示部４００及び制御部（制御手段）４１０を備えている。
【００２８】
図１は、空気清浄機１００の正面斜視における外観正面斜視図である。空気清浄機１００の正面は、ケーシング部材の１つである合成樹脂製の前パネル１０２に覆われている。正面の下方には、前パネル１０２に覆われていない部分があり、当該部分に下吸込口１１３が設けられている。図２は、空気清浄機１００の側面視における外観側面視図である。図２において、空気清浄機１００の側面の一部は、ケーシング部材の１つである合成樹脂製の側方吸込口形成部材１０３により覆われている。側方吸込口形成部材１０３には、空気を取り込む第１側方吸込口１１１が縦方向に延びるように形成されている。つまり、第１側方吸込口１１１は、縦の寸法の方が、横の寸法よりも大きい。また、図示されていないが、空気清浄機１００の反対側の側面の一部も同様に側方吸込口形成部材１０３により覆われている。側方吸込口形成部材１０３には、第１側方吸込口１１１に対向する位置に第２側方吸込口１１２が縦方向に延びるように形成されている。第２側方吸込口１１２の縦横の寸法は、第１側方吸込口１１１の寸法と同じである。以下、第１側方吸込口１１１、第２側方吸込口１１２及び下吸込口１１３の全てを指す場合は、吸込口１１０とする。
【００２９】
空気清浄機１００内に吸い込まれた空気が吹き出される吹出口１１４は、図１及び図４に示されているように空気清浄機１００の上面に設けられている。
【００３０】
図３は、空気清浄機１００内の構成を説明するための概念図である。図３において、シロッコファン３５０によって吸込口から吹出口１１４に至る空気の流れ５０１が発生する。吸込口から吸込まれた室内空気は、フィルタ部３１０で塵埃や臭い成分などが取り除かれ、シロッコファン３５０から清浄な空気が吹き出される。
【００３１】
［詳細構成］
＜電気集塵装置２００＞
図４は、空気清浄機１００から前パネル１０２等のケーシング部材の一部を取り外した分解図である。図４に示されているように、電気集塵装置２００（集塵補助装置）は、縦に長い筒状の形状をしており、第１側方吸込口１１１及び第２側方吸込口１１２の近傍に１つずつ、それぞれの吸込口１１０に沿って縦に、着脱可能に設置されている。電気集塵装置２００は、吸い込まれた空気の中に浮遊している比較的小さな塵埃を帯電させる。第１側方吸込口１１１の近傍に配置されている電気集塵装置２００は、放電ユニットＬ２０１である。第２側方吸込口１１２の近傍に配置されている電気集塵装置２００は、放電ユニットＲ２０２である。電気集塵装置２００の縦横それぞれの寸法は、吸込口１１０の縦横それぞれの寸法よりも大きく、電気集塵装置２００は側方吸込口形成部材１０３と、その間になるべく隙間ができないように接しているので、吸込口１１０から吸い込まれる空気は、全て電気集塵装置２００を通るように構成されている。
【００３２】
図６は、放電ユニットＬ２０１の外観図である。図７は、放電ユニットＬ２０１の断面図である。放電ユニットＬ２０１は、縦に長い筒状の形状をした合成樹脂製のケーシング２１０を有する。図６に示すように、ケーシング２１０は、ケーシング第１部２１１及びケーシング第２部２１２の２つに縦に分かれており、図７に示すように、ケーシング第１部２１１とケーシング第２部２１２とは、ヒンジ２１３で繋がれている。
【００３３】
ケーシング第１部２１１は、正負２つの電極のうちの正極であるタングステン製のイオン化線２３１を保持する。負極は、ケーシング第２部２１２により保持されている。負極は、ステンレス金属製の板状の電極（電極板２３２）である。
【００３４】
ケーシング第２部２１２の内側には、負極である電極板２３２が取り付けられている。電極板２３２は、ケーシング第２部２１２の長手方向に並行な３つの対向する壁を形成するように成形されている。ここで、説明の便宜上、当該３つの壁のうち、真ん中に位置する壁を中壁２３２ｂ、当該中壁２３２ｂの左右に位置する壁をそれぞれ左壁２３２ｃ、右壁２３２ａとする。左壁２３２ｃと右壁２３２ａは、ケーシング第２部２１２が形成する空間内に収まっている。一方、中壁２３２ｂは、当該空間から数ミリ程度外に出ている。
【００３５】
図７に示すように、ケーシング第１部２１１の縁とケーシング第２部２１２の縁とが接するようになっている。ヒンジ２１３が閉じられた状態では、イオン化線２３１は、ケーシング第２部２１２により形成された空間に位置し、中壁２３２ｂをＵ字状に囲む。また、当該Ｕ字状のイオン化線２３１は、外側から左壁２３２ｃ及び右壁２３２ａに囲まれた状態になる。即ち、イオン化線２３１は、左壁２３２ｃと中壁２３２ｂとの間、及び中壁２３２ｂと右壁２３２ａとの間に位置し、それぞれの壁に並行な状態で、当該壁と放電に適切な一定の距離を保って位置する。
【００３６】
イオン化線２３１に高電圧を印加すると、当該２つの電極間に電位差が生じ、イオン化線２３１と電極板２３２とが対向している部位において、当該２つの電極間で１種のコロナ放電が生じる。当該放電が起こる部位を放電発生部と呼ぶ。
【００３７】
放電発生部を覆う部分（格子部２００ａ）では、ケーシング第１部２１１及びケーシング第２部２１２は、格子状になっている。また、ケーシング第１部２１１の当該格子部２００ａの外側は、プレフィルタ２１９により覆われている。ケーシング第１部２１１の格子部２００ａの外側は、吸い込まれる空気の気流の上流にあたる。吸い込まれた空気は、当該格子部２００ａからケーシング２１０内に入り込み、放電部を通過する。通過する空気中の塵埃は、放電により帯電する。
【００３８】
＜フィルタ部３１０＞
図３に示されているように、フィルタ部３１０は、プレフィルタ３１１と、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ３１２（集塵フィルタ）と、脱臭エレメント３１３とで構成されている。まず、プレフィルタ３１１によって大きな塵埃が取り除かれる。次に、ＨＥＰＡフィルタ３１２によってさらに微細な塵埃が取り除かれる。さらに、ＨＥＰＡフィルタ３１２を通過した空気は、活性炭などを含む脱臭エレメント３１３によってホルムアルデヒドや臭い成分などが分解され、或いは吸着される。
【００３９】
＜ストリーマ放電ユニット３４０＞
シロッコファン３５０から吹き出される空気のうちの一部が、図３に示す支流５０２としてストリーマ放電ユニット３４０（活性種供給手段）に送られる。この支流５０２がストリーマ放電ユニット３４０を通過するときに、ストリーマ放電によって活性種が供給される。活性種の供給された支流５０２は、複数の分流となって放出口３３１からプレフィルタ３１１の前に吹き出される。
【００４０】
複数の分流は、プレフィルタ３１１から吸い込まれる室内空気に合流してＨＥＰＡフィルタ３１２及び脱臭エレメント３１３にまで到達する。脱臭エレメント３１３にまで達する活性種によって消臭効果が高められる。
【００４１】
ストリーマ放電ユニット３４０は、正極であるタングステン製の針状の電極と、当該針状電極の近傍に位置し、当該電極に対向する板状の電極（対向電極）を有する。針状電極に高電圧を印加することによりプラズマ放電の一種であるストリーマ放電が発生する。当該放電発生の際に酸化分解力の高い活性種が生成される。これらの活性種には、高速電子、イオン、水酸化ラジカル及び励起酸素分子などが含まれ、これらの活性種は、アンモニア類や、アルデヒド類、窒素酸化物等の小さな有機分子からなる空気中の有害成分や臭気成分を分解する。
【００４２】
生成された活性種を含む空気は、図３に示すような２つの鉛直風通路部材３３０へ流入する。空気清浄機１００の第１側方吸込口１１１及び第２側方吸込口１１２は、上述のとおり鉛直方向に長い開口であるが、２つの鉛直風通路部材３３０は第１側方吸込口１１１及び第２側方吸込口１１２に沿って配置されている。各鉛直風通路部材３３０には、複数の放出口３３１が第１側方吸込口１１１及び第２側方吸込口１１２の鉛直方向に沿うように形成されている。鉛直風通路部材３３０へ流入した活性種を含む空気は、当該放出口３３１からフィルタ部３１０のプレフィルタ３１１の前に吹き出される。
【００４３】
＜加湿部３２０＞
加湿部３２０（湿度調整手段）は、加湿ロータ３２１や水トレイ３２２などを備えている。脱臭エレメント３１３を通過した空気は、加湿部３２０の加湿ロータ３２１を通過する。加湿ロータ３２１を空気が通過する際に、加湿ロータ３２１から空気中に水分が放出される。放出されることによって減少する水分を補うため、加湿ロータ３２１は、水トレイ３２２から水の供給を受ける。水トレイ３２２には、鉛直通風路部材３３０に設けられた上記放出口３３１の１つから活性種を含む空気が導入される。
【００４４】
＜空気清浄動作＞
図３を参照しながら、空気清浄機１００による空気清浄作用について説明する。第１側方吸込口１１１及び第２側方吸込口１１２から吸い込まれた空気は、電気集塵装置２００に到達する。そこで、電気集塵装置２００のケーシング第１部２１１の外側に設けられたプレフィルタにより比較的大きなホコリや塵が空気中から除去される。次に、空気は電気集塵装置２００の放電部を通過する。その際、空気に含まれる塵埃等がプラス電荷に帯電する。そして、空気は、フィルタ部３１０に到達する。他方、下吸込口１１３から吸い込まれた空気は、フィルタ部３１０に到達する。
【００４５】
フィルタ部３１０では、空気は、先ずプレフィルタ３１１を通過する。その際、比較的大きなホコリや塵が、プレフィルタ３１１により空気中から除去される。
【００４６】
プレフィルタ３１１を通った空気は、ＨＥＰＡフィルタ３１２を通過する。当該空気中の帯電した塵埃等は、ＨＥＰＡフィルタ３１２に吸着される。
【００４７】
ＨＥＰＡフィルタ３１２を通過した空気は、脱臭エレメント３１３を通過し、この際脱臭される。
【００４８】
その後、当該空気は、加湿部３２０の加湿ロータ３２１に到達する。空気は、加湿ロータ３２１を通過し、加湿される。
【００４９】
フィルタ部３１０及び加湿ロータ３２１を通過して清浄された空気は、吹出口１１４から室内へと吹き出される。また、清浄された空気の一部は、室内へと吹き出されることなく支流５０２となって、ストリーマ放電ユニット３４０へ導入される。
【００５０】
ストリーマ放電ユニット３４０におけるストリーマ放電により活性種が生成される。活性種を含む空気は、２つの鉛直通風路部材３３０内を通り、各鉛直通風路部材３３０に形成された複数の放出口３３１からプレフィルタ３１１の前に放出される。活性種を含む空気は、吸込空気と混ざり合ってプレフィルタ３１１及びＨＥＰＡフィルタ３１２に吸い込まれる。これらの活性種を含んだ空気は、ウィルスやカビ菌、細菌などを不活化または死滅させる。
【００５１】
＜シロッコファン３５０＞
シロッコファン３５０（ファン）は、吸込口１１０と吹出口１１４との間に配置されており、より詳しくは、加湿部３２０と吹出口１１４との間に配置されている。
【００５２】
＜塵埃検出センサ３６０＞
塵埃検出センサ３６０（塵埃検出手段）は、空気清浄機１００内の上部に設けられており、空気清浄機１００の周辺の空気に含まれる塵埃量を検出する。
【００５３】
＜臭い検出センサ３７０＞
臭い検出センサ３７０（臭い検出手段）は、空気清浄機１００内の上部に設けられており、空気清浄機１００の周辺の空気の臭い強度を検出する。
【００５４】
＜湿度検出センサ３８０＞
湿度検出センサ３８０（湿度検出手段）は、空気清浄機１００内の上部に設けられており、空気清浄機１００の周辺の空気の湿度を検出する。
【００５５】
＜操作部３９０＞
図８は、図１に示す空気清浄機１００の操作部３９０の概略図である。操作部３９０は、図８に示すように、運転入／切スイッチ３９１、加湿入／切スイッチ３９２、加湿切換スイッチ３９３、ＥＣＯ節電スイッチ３９４と、風量変更スイッチ３９４とを備えている。
【００５６】
運転入／切スイッチ３９１は、空気清浄機１００の運転又は停止を選択するスイッチである。空気清浄機１００が停止した状態で、運転入／切スイッチ３９１が押されると空気清浄運転が開始される。一方、空気清浄運転が行われている状態で運転入／切スイッチ３９１が押されると運転が停止する。
【００５７】
加湿入／切スイッチ３９２は、加湿運転の運転又は停止を選択するスイッチである。空気清浄運転が行われており、加湿運転が行われていない状態で、加湿入／切スイッチ３９２が押されると、加湿ロータ３２１が回転駆動され、加湿運転が開始される。その際、加湿運転で行われていることを表示するランプが点灯する。一方、空気清浄運転と共に加湿運転が行われている状態で、加湿入／切スイッチ３９２が押されると、加湿ロータ３２１の回転駆動が停止され、加湿運転が停止される。その際、当該ランプは消灯する。なお、加湿入／切スイッチ３９２が押されて加湿運転が停止しても、空気清浄運転は継続する。
【００５８】
加湿切換スイッチ３９３は、加湿運転のモードを切り換えるスイッチである。加湿運転のモードとしては、自動運転モードと連続運転モードとが含まれる。加湿運転が行われている状態で、加湿切換スイッチ３９３が押されると、制御部４１０の制御により、これらモードが切り換わるようになっている。
【００５９】
自動運転モードとは、目標湿度（例えば、湿度５０％）を目安に、空気清浄機１００が加湿運転の運転又は停止を自動で行うモードである。具体的には、湿度検出センサ３８０で検出される空気中の湿度と目標湿度とを比較して、加湿運転の運転又は停止を判断し、判断結果に基づいて加湿運転の運転又は停止を実行する。一方、連続運転モードとは、連続運転モード中、加湿運転を継続するモードである。
【００６０】
ＥＣＯ節電スイッチ３９４とは、省エネ運転を実行するか否かを選択するスイッチである。後述するように、風量が自動に設定されている場合において、ＥＣＯ節電スイッチ３９４が押されると、省エネ運転モードに切り換わり、省エネ運転モードであることを示すランプが点灯する。一方、省エネ運転が実行されている状態で、ＥＣＯ節電スイッチ３９４が押されると、省エネ運転モードが停止され、省エネ運転モードに切り換わる前の状態に戻り、当該ランプが消灯する。風量が自動に設定されている場合に、省エネ運転モードに切り換わると、風量自動運転での最大風量が、省エネ運転モードに切り換わる前の最大風量より小さい風量に制限される。
【００６１】
風量変更スイッチは、風量を設定するスイッチである。そして、風量として自動が設定された場合、塵埃検出センサ３６０で検出された塵埃量及び臭い検出センサ３７０で検出された臭い強度に基づいて、風量が自動的に変更される。したがって、塵埃検出センサ３６０で検出された塵埃量や臭い検出センサ３７０で検出された臭い強度が大きい場合に、風量が大きく変更されるとともに、塵埃検出センサ３６０で検出された塵埃量及び臭い検出センサ３７０で検出された臭い強度が小さい場合に、風量が小さく変更される。
【００６２】
＜表示部４００＞
表示部４００は、塵埃検出センサ３６０で検出された塵埃量、臭い検出センサ３７０で検出された臭い強度、湿度検出センサ３８０で検出された湿度を表示する。この表示部４００は、図１に示すように、前パネル１０２に設けられている。塵埃量は、その大小に応じて、例えば３色の点灯で表示する。臭い強度は、その強弱に応じて例えば３色の点灯で表示する。湿度は、例えば、１％刻みで表示する。
【００６３】
＜制御部４１０＞
図９は、図１に示す空気清浄機１００の機能ブロック図である。制御部４１０は、ＣＰＵ（Central Processing Unit）、ＲＯＭ（Read Only Memory）、ＲＡＭ（Random Access Memory）などの複数のハードウェアから構成されている。ＲＯＭには、制御装置４１０の動作を制御する制御プログラムなどが格納されている。そして、この制御部４１０は、タイマー部４１１を有し、塵埃検出センサ３６０、臭い検出センサ３７０、湿度検出センサ３８０、電気集塵装置２００、ストリーマ放電ユニット３４０、シロッコファン３５０、加湿部３２０、操作部３９０、及び表示部４００と電気的に接続されている。
【００６４】
タイマー部４１１は、塵埃検出センサ３６０で検出された塵埃量が所定量未満である状態が所定時間継続したか否か、臭い検出センサ３７０で検出された臭い強度が所定強度未満である状態が所定時間継続したか否か、湿度検出センサ３８０で検出された湿度が所定湿度以上である状態が所定時間継続したか否かを判断する際の各所定時間を計測するためのタイマーを駆動制御する。
【００６５】
空気清浄機１００において、加湿運転が行われてない場合の省エネ運転モードでは、塵埃検出センサ３６０で検出された塵埃量や、臭い検出センサ３７０で検出された臭い強度に基づいて、電気集塵装置２００、ストリーマ放電ユニット３４０、シロッコファン３５０等が制御される。
【００６６】
空気清浄機１００において、加湿運転が行われている場合の省エネ運転モードでは、塵埃検出センサ３６０で検出された塵埃量や、臭い検出センサ３７０で検出された臭い強度や、湿度検出センサ３８０で検出された湿度に基づいて、電気集塵装置２００、ストリーマ放電ユニット３４０、シロッコファン３５０等が制御される。
【００６７】
以下、加湿運転が行われている場合の省エネ運転モードにおける動作について詳しく説明する。
【００６８】
加湿運転が行われている場合の省エネ運転モードでは、第１運転状態、第２運転状態及び第３運転状態のいずれかの状態の運転が行われる。
【００６９】
第１運転状態（加湿運転あり）では、電気集塵装置２００、ストリーマ放電ユニット３４０、加湿部３２０がいずれも運転状態であって、シロッコファン３５０は、風量自動の設定に基づいて駆動される。
【００７０】
第２運転状態（加湿運転あり）では、電気集塵装置２００が停止状態であって、ストリーマ放電ユニット３４０及び加湿部３２０が運転状態であって、シロッコファン３５０は、風量自動の設定に基づいて駆動される。
【００７１】
第３運転状態（加湿運転あり）では、電気集塵装置２００及びストリーマ放電ユニット３４０及び加湿部３２０がいずれも停止状態である。この第３運転状態（加湿運転なし）では、制御部４１０は、シロッコファン３５０の駆動又は停止を交互に行うよう制御する。即ち、第３運転状態（加湿運転あり）では、シロッコファン３５０の駆動及び停止を交互に繰り返す間欠運転が行われる。
【００７２】
まず、図１０を参照して省エネ運転モード（加湿運転あり）の動作について説明する。
【００７３】
ＥＣＯ節電スイッチ３９４が押されて省エネ運転モードに移行すると、電気集塵装置２００、ストリーマ放電ユニット３４０、及び加湿部３２０がいずれも運転状態である第１運転状態（加湿運転あり）に入る（Ｓ１）。
【００７４】
次に、塵埃検出センサ３６０で検出された塵埃量が所定量未満であり、かつ臭い検出センサ３７０で検出された臭い強度が所定強度未満であり、かつ湿度検出センサ３８０で検出された湿度が所定湿度以上である状態が所定時間継続したか否かを判断する（Ｓ２）。そして、ステップＳ２の条件を満たした場合（Ｓ２：Ｙｅｓ）、電気集塵装置２００、ストリーマ放電ユニット３４０、及び加湿部３２０をいずれも停止して第３運転状態（加湿運転あり）に移行する（Ｓ３）。第３運転状態（加湿運転あり）ではシロッコファン３５０は、間欠運転とされる。一方、ステップＳ２の条件を満たさない場合（Ｓ２：Ｎｏ）、ステップＳ１２に進む。
【００７５】
第３運転状態（加湿運転あり）に移行すると（Ｓ３）、まず、塵埃検出センサ３６０で検出された塵埃量が所定量以上であるか否かを判断する（Ｓ４）。そして、ステップＳ４の条件を満たした場合（Ｓ４：Ｙｅｓ）、電気集塵装置２００、ストリーマ放電ユニット３４０、及び加湿部３２０をいずれも運転して第１運転状態（加湿運転あり）に移行し（Ｓ５）、ステップＳ１に戻る。
【００７６】
一方、ステップＳ４の条件を満たさない場合（Ｓ４：Ｎｏ）、湿度検出センサ３８０で検出された湿度が所定湿度未満であるか否かを判断する（Ｓ６）。そしてステップＳ６の条件を満たした場合（Ｓ６：Ｙｅｓ）、電気集塵装置２００、ストリーマ放電ユニット３４０、及び加湿部３２０をいずれも運転して第１運転状態（加湿運転あり）に移行し（Ｓ７）、ステップＳ１に戻る。
【００７７】
一方、ステップＳ６の条件を満たさない場合（Ｓ６：Ｎｏ）、臭い検出センサ３７０で検出された臭い強度が所定強度以上であるかを判断する（Ｓ８）。そして、ステップＳ８の条件を満たした場合（Ｓ８：Ｙｅｓ）、電気集塵装置２００は停止したまま、ストリーマ放電ユニット３４０、及び加湿部３２０を運転して第２運転状態（加湿運転あり）に移行する（Ｓ９）。一方、ステップＳ８の条件を満たさない場合（Ｓ８：Ｎｏ）、ステップＳ４に戻る。
【００７８】
ステップＳ１０では、塵埃検出センサ３６０で検出された塵埃量が所定量以上である状態が所定時間継続したか否かを判断する。そして、ステップＳ１０の条件を満たした場合（Ｓ１０：Ｙｅｓ）、電気集塵装置２００を運転して第１運転状態（加湿運転あり）に移行し（Ｓ１１）、ステップＳ１に戻る。一方、ステップＳ１０の条
件を満たさない場合（Ｓ１０：Ｎｏ）、その条件を繰り返す。
【００７９】
ステップＳ１２においては、塵埃検出センサ３６０で検出された塵埃量が所定量未満である状態が所定時間継続したか否かを判断する。そして、ステップＳ１２の条件を満たした場合、電気集塵装置２００を停止して第２運転状態（加湿運転あり）に移行する（Ｓ１３）。一方、ステップＳ１２の条件を満たさない場合、ステップＳ２に戻る。
【００８０】
第２運転状態（加湿運転あり）に移行すると（Ｓ１３）、まず、塵埃検出センサ３６０で検出された塵埃量が所定量以上である状態が所定時間継続したか否かを判断する（Ｓ１４）。そして、ステップＳ１４の条件を満たした場合（Ｓ１４：Ｙｅｓ）、電気集塵装置２００を運転して第１運転状態（加湿運転あり）に移行し（Ｓ１５）、ステップＳ１に戻る。一方、ステップＳ１４の条件を満たさない場合（Ｓ１４：Ｎｏ）、その条件を繰り返す。
【００８１】
以下、加湿運転が行われてない場合の省エネ運転モードにおける動作について詳しく説明する。
【００８２】
加湿運転が行われてない場合の省エネ運転モードでは、第１運転状態、第２運転状態及び第３運転状態のいずれかの状態の運転が行われる。
【００８３】
第１運転状態（加湿運転なし）では、電気集塵装置２００及びストリーマ放電ユニット３４０がいずれも運転状態であって、シロッコファン３５０は、風量自動の設定に基づいて駆動される。
【００８４】
第２運転状態（加湿運転なし）では、電気集塵装置２００が停止状態であって、ストリーマ放電ユニット３４０が運転状態であって、シロッコファン３５０は、風量自動の設定に基づいて駆動される。
【００８５】
第３運転状態（加湿運転なし）では、電気集塵装置２００及びストリーマ放電ユニット３４０がいずれも停止状態である。この第３運転状態（加湿運転なし）では、制御部４１０は、シロッコファン３５０の駆動又は停止を交互に行うよう制御する。即ち、第３運転状態（加湿運転なし）では、シロッコファン３５０の駆動及び停止を交互に繰り返す間欠運転が行われる。
【００８６】
以下、図１１を参照して省エネ運転モード（加湿運転なし）の動作について説明する。
【００８７】
ＥＣＯ節電スイッチ３９４が押されて省エネ運転モードに移行すると、電気集塵装置２００、及びストリーマ放電ユニット３４０がいずれも運転状態である第１運転状態（加湿運転なし）に入る（Ｓ１０１）。
【００８８】
次に、塵埃検出センサ３６０で検出された塵埃量が所定量未満であり、かつ臭い検出センサ３７０で検出された臭い強度が所定強度未満である状態が所定時間継続したか否かを判断する（Ｓ１０２）。そして、ステップＳ１０２の条件を満たした場合（Ｓ１０２：Ｙｅｓ）、電気集塵装置２００、及びストリーマ放電ユニット３４０をいずれも停止して第３運転状態（加湿運転なし）に移行する（Ｓ１０３）。第３運転状態（加湿運転なし）ではシロッコファン３５０は、間欠運転とされる。一方、ステップＳ１０２の条件を満たさない場合（Ｓ１０２：Ｎｏ）、ステップＳ１１０に進む。
【００８９】
第３運転状態（加湿運転なし）に移行すると（Ｓ１０３）、まず、塵埃検出センサ３６０で検出された塵埃量が所定量以上であるか否かを判断する（Ｓ１０４）。そして、ステップＳ４の条件を満たした場合（Ｓ１０４：Ｙｅｓ）、電気集塵装置２００、及びストリーマ放電ユニット３４０をいずれも運転して第１運転状態（加湿運転なし）に移行し（Ｓ１０５）、ステップＳ１０１に戻る。
【００９０】
一方、ステップＳ１０４の条件を満たさない場合（Ｓ１０４：Ｎｏ）、臭い検出センサ３７０で検出された臭い強度が所定強度以上であるか否かを判断する（Ｓ１０６）。そして、ステップＳ１０６の条件を満たした場合（Ｓ１０６：Ｙｅｓ）、ストリーマ放電ユニット３４０を運転して第２運転状態に移行する（Ｓ１０７）。一方、ステップＳ１０６の条件を満たさない場合（Ｓ１０６：Ｎｏ）、ステップＳ１０４に戻る。
【００９１】
ステップＳ１０８では、塵埃検出センサ３６０で検出された塵埃量が所定量以上である状態が所定時間継続したか否かを判断する。そして、ステップＳ１０８の条件を満たした場合（Ｓ１０８：Ｙｅｓ）、電気集塵装置２００を運転して第１運転状態（加湿運転なし）に移行し（Ｓ１０９）、ステップＳ１０１に戻る。一方、ステップＳ１０８の条件を満たさない場合（Ｓ１０８：Ｎｏ）、その条件を繰り返す。
【００９２】
ステップＳ１１０においては、塵埃検出センサ３６０で検出された塵埃量が所定量未満である状態が所定時間継続したか否かを判断する。そして、ステップＳ１１０の条件を満たした場合、電気集塵装置２００を停止して第２運転状態（加湿運転なし）に移行する（Ｓ１１１）。一方、ステップＳ１１１の条件を満たさない場合、ステップＳ１０２に戻る。
【００９３】
第２運転状態（加湿運転なし）に移行すると（Ｓ１１１）、まず、塵埃検出センサ３６０で検出された塵埃量が所定量以上である状態が所定時間継続したか否かを判断する（Ｓ１１２）。そして、ステップＳ１１２の条件を満たした場合（Ｓ１１２：Ｙｅｓ）、電気集塵装置２００を運転して第１運転状態（加湿運転なし）に移行し（Ｓ１１３）、ステップＳ１０１に戻る。一方、ステップＳ１１２の条件を満たさない場合（Ｓ１１２：Ｎｏ）、その条件を繰り返す。
【００９４】
［本実施形態の空気調和機の特徴］
本実施形態の空気調和機には、以下の特徴がある。この空気調和機（空気清浄機１００）では、電気集塵装置２００及びストリーマ放電ユニット３４０がいずれも運転状態であるとき、塵埃検出センサ３６０で検出された塵埃量が所定量未満である場合に、電気集塵装置２００が停止されると共に、塵埃検出センサ３６０で検出された塵埃量が所定量未満でありかつ臭い検出センサ３７０で検出された臭い強度が所定強度未満である場合に、電気集塵装置２００及びストリーマ放電ユニット３４０がいずれも停止状態に変更される。このように、塵埃検出センサ３６０及び臭い検出センサ３７０での検出に基づいて、電気集塵装置２００及びストリーマ放電ユニット３４０において運転を継続する必要がないものが停止される。したがって、空気調和機の消費電力を低減できる。
【００９５】
また、電気集塵装置２００及びストリーマ放電ユニット３４０がいずれも停止状態である場合に、シロッコファン３５０が間欠運転されるので、塵埃検出センサ３６０及び臭い検出センサ３７０の検出精度を向上させることができる。したがって、第３運転状態において空気に含まれる塵埃量が多い場合や空気の臭い強度が大きい場合に、電気集塵装置２００及びストリーマ放電ユニット３４０の運転を開始できる。
【００９６】
また、電気集塵装置２００及びストリーマ放電ユニット３４０がいずれも停止状態である場合において、空気の臭い強度が大きく変化した場合に、ストリーマ放電ユニット３４０を運転することによって、空気の臭い強度を低下させることができる。
【００９７】
また、この空気調和機では、電気集塵装置２００及びストリーマ放電ユニット３４０がいずれも停止状態である場合において、空気に含まれる塵埃量が多く変化した場合に、電気集塵装置２００及びストリーマ放電ユニット３４０を運転して、空気に含まれる塵埃量を低減できる。
【００９８】
また、空気に含まれる塵埃量が所定量未満である状態が第１所定時間継続した場合や、空気の臭い強度が所定強度未満である状態が第２所定時間継続した場合に、電気集塵装置２００やストリーマ放電ユニット３４０が停止されるので、電気集塵装置２００及びストリーマ放電ユニット３４０において運転を継続する必要がないものを停止できる。
【００９９】
また、空気に含まれる塵埃量や空気の臭い強度だけでなく、湿度を考慮して、電気集塵装置２００及びストリーマ放電ユニット３４０がいずれも停止状態に変更される。
【０１００】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【０１０１】
［変形例］
本実施形態においては、空気清浄機１００は、電気集塵装置２００及びストリーマ放電ユニット３４０を備えているが、空気清浄機１００は、電気集塵装置２００及びストリーマ放電ユニット３４０に加え、臭い除去などに効果があるイオンを発生させるイオン発生装置を備えていていもよい。
【０１０２】
そして、イオン発生装置を備える場合、電気集塵装置２００、ストリーマ放電ユニット３４０、及びイオン発生装置がいずれも運転状態である第１運転状態において、塵埃検出センサ３６０で検出された塵埃量が所定量未満である場合に、電気集塵装置２００が停止状態であってストリーマ放電ユニット３４０、及びイオン発生装置が運転状態である第２運転状態に切り換えると共に、塵埃検出センサ３６０で検出された塵埃量が所定量未満でありかつ臭い検出センサ３７０で検出された臭い強度が所定強度未満である場合に、電気集塵装置２００、ストリーマ放電ユニット３４０及びイオン発生装置がいずれも停止状態である第３運転状態に切り換えるようにしてもよい。
【０１０３】
また、本実施形態においては、第３運転状態においてシロッコファン３５０が間欠運転されるようになっているが、間欠運転はなくてもよい。
【０１０４】
また、本実施形態においては、所定時間継続したか否かで第１〜第３運転状態の切り換えを判断しているが、所定時間継続したか否かを判断することは必須ではない。
【０１０５】
また、本実施形態においては、「集塵フィルタ」とは、ＨＥＰＡフィルタ３１２を示すが、「集塵フィルタ」は、プレフィルタ３１１であってもよいし、プレフィルタ３１１とＨＥＰＡフィルタ３１２を合わせて「集塵フィルタ」としてもよい。
【０１０６】
また、本実施形態においては、第１運転状態から第３運転状態への移行について説明しているが、第２運転状態から第３運転状態への移行については説明していない。しかし、第２運転状態において、第３運転状態への移行条件を満たせば、第２運転状態から第３運転状態に移行するようにしてもよい。例えば、図１０のステップＳ１０において（第２運転状態）、ステップＳ１０の条件を満たさない場合、ステップＳ２の条件を満たすか否かを判断して、ステップＳ２の条件を満たしたらステップＳ３に進むようにしてもよい（第３運転状態に移行）。
【０１０７】
また、本実施形態においては、第３運転状態から第１又は第２運転状態に移行する際において、塵埃検出センサ３６０で検出された塵埃量が所定量以上であるか否か、臭い検出センサ３７０で検出された臭い強度が所定強度以上であるか否か、湿度検出センサ３８０で検出された湿度が所定湿度未満であるか否かの判断の際には、所定時間継続しているか否かは見ていないが、所定時間継続することを移行条件に加えてもよい。
【０１０８】
また、本実施形態においては、塵埃検出センサ３６０で検出された塵埃量が所定量未満である状態が所定時間継続したか否か、臭い検出センサ３７０で検出された臭い強度が所定強度未満である状態が所定時間継続したか否か、湿度検出センサ３８０で検出された湿度が所定湿度以上である状態が所定時間継続したか否かを判断する際の各所定時間は、どれも同じとしているが、各所定時間は各々異なっていてもよい。
【産業上の利用可能性】
【０１０９】
本発明を利用すれば、空気調和機の消費電力を低減できる。
【符号の説明】
【０１１０】
１００  空気清浄機（空気調和機）
２００  電気集塵装置（集塵補助手段）
３２０  加湿部（湿度調整手段）
３４０  ストリーマ放電ユニット（活性種供給手段）
３５０  シロッコファン（ファン）
３６０  塵埃検出センサ（塵埃検出手段）
３７０  臭い検出センサ（臭い検出手段）
３８０  湿度検出センサ（湿度検出手段）
４１０  制御部（制御手段）